(57)【要約】【課題】水又は湯を分岐して供給するヘッダーと、住宅内の台所，洗面台，浴室等に取り付けられた水栓とを接続する通水管とを備えたヘッダー配管において、水抜きの操作性を向上させる。【解決手段】給水主管１又は供給管７，９，１１から供給される水又は湯を複数個の通水管１４，１７へ分配するヘッダー８，１２と、前記通水管１４，１７から供給される水又は湯を外部へ吐水するための水栓１３と、ヘッダー８，１２及び水栓１３に対し圧縮空気を供給することのできるコンプレッサー２０とを備え、前記給水主管１に水抜栓３を装着し、通水管１４，１７はコンプレッサー２０に接続したホース１９を着脱自在とし、水栓１３が閉弁状態で、コンプレッサー２０の圧縮空気を通水管内１４，１７へ供給することで、通水管１４，１７，水栓１３，ヘッダー８，１２及び供給管７，９，１１内の水が水抜栓３から排水されるようにした。【選択図】　図１
2004143701.tif 000002
【特許請求の範囲】
【請求項１】
給水主管又は供給管から供給される水又は湯を複数個の通水管へ分配するヘッダーと、前記通水管から供給される水又は湯を外部へ吐水するための水栓と、ヘッダー及び水栓に対し圧縮空気を供給することのできるコンプレッサーとを備え、前記給水主管に水抜栓を装着し、通水管はコンプレッサーに接続したホースを着脱自在とし、水栓が閉弁状態で、コンプレッサーの圧縮空気を通水管内へ供給することで、通水管，水栓，ヘッダー及び供給管内の水が水抜栓から排水されるようにしたことを特徴とするヘッダー配管における水抜装置。
【請求項２】
前記通水管に分岐管を装着し、該分岐管にホースを着脱自在に接続したことを特徴とする請求項１記載のヘッダー配管における水抜装置。
【請求項３】
前記水抜栓はコードによりコンプレッサーと接続し、コンプレッサーと連動して開弁することを特徴とする請求項１又は２記載のヘッダー配管における水抜装置。
【請求項４】
前記給水主管、供給管又はヘッダーの何れかに、通過する水の温度を測定するための温度センサーを装着し、該温度センサーとコンプレッサーとはコード及び制御ボックスにより連通し、該制御ボックスはコンプレッサーが作動する温度を設定可能であり、温度センサーの測定温度が制御ボックスにより設定した温度以下の場合に、コンプレッサーが作動するようにしたことを特徴とする請求項１又は２記載のヘッダー配管における水抜装置。
【請求項５】
前記水抜栓はコードにより制御ボックスと連通し、温度センサーの測定温度が予め設定した温度以下の場合に開弁し、排水するようにしたことを特徴とする請求項４記載のヘッダー配管における水抜装置。
【請求項６】
前記制御ボックスはコントロールパネルを設け、該コントロールパネルは温度センサーの測定温度，コンプレッサーの作動状況を表示可能としたことを特徴とする請求項４又は５記載のヘッダー配管における水抜装置。
【発明の詳細な説明】
【０００１】
【発明の属する技術分野】
本発明は、水又は湯を分岐して供給するためのヘッダーと、住宅内の台所，洗面台，浴室，トイレ等に取り付けられた各水栓とを通水管で接続したヘッダー配管の水抜装置に関する。
【０００２】
【従来の技術】
一般に集合住宅，戸建住宅等において、台所，洗面台，浴室，トイレ等へ給水，給湯配管の施工を行なう場合、水，湯の各ヘッダーと各水栓とを、床下や壁裏に挿通させた樹脂製の通水管で接続するヘッダー配管工法が行なわれている。このヘッダー配管工法では、台所，洗面台，浴室，トイレ等に取り付けられた各水栓を同時に使用しても、給水，給湯箇所の遠近に関係なく充分な吐水量が保証されるものであり、しかも耐用年数となった通水管の更新作業を容易に行なうことができるものであるが、このようなヘッダー配管は、寒冷地では冬季において外気温が低下し、ヘッダー，通水管及び水栓内の水が凍結して給水不能又は破損することがないようにするため、水抜きを行なう必要がある。
【０００３】
そこでヘッダー配管において、通水管内を通過する水の温度が低下した場合に水抜きを行なえるようにしたものが公知である。（例えば特許文献１参照）この特許文献１について図５により簡単に説明すると、上水道の本管３１は、元栓３２とメータ３３を経て給水管３４と給湯管３９とに分岐し、給水管３４はＴ型継手により一方を水抜栓３５に分岐すると共に、他方に給水ヘッダー３６を接続して、該給水ヘッダー３６に形成された１本の管３８に、コンプレッサー４５からの接続ホース４６を取り付けるコネクター３７を設置し、残りの４本の管３８ａ，３８ｂ，３８ｃ，３８ｄを、トイレ用水栓４７，洗面用水栓４８，台所用水栓４９，及び浴室用水栓５０へそれぞれ接続している。前記給湯管３９は給湯バルブ４０と給湯器４１を経て給湯ヘッダー４２と接続し、該給湯ヘッダー４２は、前記洗面用水栓４８，台所用水栓４９及び浴室用水栓５０へと通じる３本の管４４，４４ａ，４４ｂが形成され、さらに別に形成した管４４ｃに、コンプレッサー４５からの接続ホース４６を取り付けるためのコネクター４３を設置している。従って、配管内の水の温度が低下して凍結が予想されるため、水抜きを行なうには、水抜栓３５と洗面用水栓４８，台所用水栓４９及び浴室用水栓５０を閉にし、コンプレッサー４５の接続ホース４６をコネクター３７に接続する。次にトイレ用水栓４７のみを開にしてコンプレッサー４５からの圧縮空気を給水ヘッダー３６に送り、ついでそのトイレ用水栓４７を開にして水を抜き、これらの操作を順に繰り返して各水栓から水抜きを行なう。この場合、給湯バルブ４０と元栓３２を閉にしておく。また、コンプレッサー４５の接続ホース４６をコネクター４３に接続し、上記と同じ動作を行なうことにより、給湯系配管内の水抜きができるものである。
上記のものにあっては、接続ホースはヘッダーに接続し、圧縮空気はヘッダーから配管を介して水栓に向けて送るため、水抜きを行なう水栓毎に、何度も水栓を開弁位置に操作する必要があり、離れた位置に設けられている各水栓の操作に手間のかかるものであり、その改善策が望まれていた。
【０００４】
【特許文献１】
特許第３１７０５１４号公報（第２頁，第１図）
【０００５】
【発明が解決しようとする課題】
本発明が解決しようとする課題は、水又は湯を分岐して供給するヘッダーと、住宅内の台所，洗面台，浴室等に取り付けられた水栓とを接続する通水管とを備えたヘッダー配管において、水抜きの操作性を向上させることにある。
【０００６】
【課題を解決するための手段】
本発明は請求項１によるヘッダー配管における水抜装置は、給水主管又は供給管から供給される水又は湯を複数個の通水管へ分配するヘッダーと、前記通水管から供給される水又は湯を外部へ吐水するための水栓と、ヘッダー及び水栓に対し圧縮空気を供給することのできるコンプレッサーとを備え、前記給水主管に水抜栓を装着し、通水管はコンプレッサーに接続したホースを着脱自在とし、水栓が閉弁状態で、コンプレッサーの圧縮空気を通水管内へ供給することで、通水管，水栓，ヘッダー及び供給管内の水が水抜栓から排水されるようにしたものである。
【０００７】
請求項２によるヘッダー配管における水抜装置は、前記通水管に分岐管を装着し、該分岐管にホースを着脱自在に接続したものである。
【０００８】
請求項３によるヘッダー配管における水抜装置は、前記水抜栓はコードによりコンプレッサーと接続し、コンプレッサーと連動して開弁するものである。
【０００９】
請求項４によるヘッダー配管における水抜き装置は、前記給水主管、供給管又はヘッダーの何れかに、通過する水の温度を測定するための温度センサーを装着し、該温度センサーとコンプレッサーとはコード及び制御ボックスにより連通し、該制御ボックスはコンプレッサーが作動する温度を設定可能であり、温度センサーの測定温度が制御ボックスにより設定した温度以下の場合に、コンプレッサーが作動するようにしたものである。
【００１０】
請求項５によるヘッダー配管にける水抜装置は、前記水抜栓はコードにより制御ボックスと連通し、温度センサーの測定温度が予め設定した温度以下の場合に開弁し、排水するようにしたものである。
【００１１】
請求項６では、前記制御ボックスはコントロールパネルを設け、該コントロールパネルは温度センサーの測定温度，コンプレッサーの作動状況を表示可能としたものである。
【００１２】
【発明の実施の形態】
以下、本発明の実施の形態を図に基づいて詳細に説明する。
本発明は例えば一般の住宅等に適用できるものであり、図１及び図２に示すように、建物の室内Ａには給水源と接続している給水主管１が配管され、該給水主管１の他端には水の流路を２方向に分岐することのできる分岐栓２が接続されている。前記給水主管１の流路途中には電動式の水抜栓３が装着されており、該水抜栓３は下部に形成された排水口３ａから水を外部へ排水するものであり、上部には駆動部材４を備え、該駆動部材４はコード５により後述するコンプレッサー２０に接続されている。前記分岐栓２は、一方には第１供給管７が接続され、該第１供給管７の他端は水用ヘッダー８に接続している。また、分岐栓２の他方には第２供給管９が接続され、該第２供給管９の他端は、水を加熱するための給湯器１０と接続し、該給湯器１０は第３供給管１１により湯用ヘッダー１２に接続している。
【００１３】
前記水用ヘッダー８は、第１供給管７から供給される水を、室内Ａの所定位置に設置された、給水を必要とする台所Ｂ，洗面台Ｃ，浴室Ｄ，トイレＥ等に取り付けられた各水栓１３に供給するための、複数本の水通水管１４が長手方向に沿って所定の間隔で装着されており、夫々の水通水管１４は架橋ポリエチレン管，ポリブデン管等の合成樹脂で形成され、予め床下，壁裏に配設された蛇腹状の鞘管１５を挿通して前記各水栓１３に接続している。
【００１４】
前記湯用ヘッダー１２は、第３供給管１１を介して給湯器１０から供給される湯を、給湯を必要とする台所Ｂ，洗面台Ｃ，浴室Ｄに取り付けられた各水栓１３に供給するための複数本の湯通水管１６が、長手方向に沿って所定の間隔で装着されており、夫々の湯通水管１６は、架橋ポリエチレン管，ポリブデン管等の合成樹脂で形成され、予め床下，壁裏に配設された蛇腹状の鞘管１５を挿通して各水栓１３に接続している。
【００１５】
前記水用ヘッダー８と各水栓１３とを接続している各水通水管１４、及び湯用ヘッダー１２と各水栓１３とを接続している各湯通水管１６には、分岐管１７がそれぞれ接続されている。図３に示すように、各分岐管１７は略Ｔ字型で、水通水管１４又は湯通水管１６（本実施例では水通水管１４）の上端と、水栓１３の下部に接続された連結管１８とを接続するものであり、一端には水通水管１４が接続される入口部１７ａが形成され、他端には連結管１８が接続される出口部１７ｂが形成され、入口部１７ａと出口部１７ｂとの間で一方の側部には、ホース１９を着脱自在に接続するための装着口１７ｃが形成され、該装着口１７ｃの内部には、ホース１９の非装着時に分岐管１７内の水が装着口１７ｃから排水されることがないようにするための逆止弁１７ｄが収容されている。
【００１６】
前記ホース１９は、水用ヘッダー８と各水栓１３とを接続している水通水管１４に接続された各分岐管１７、及び湯用ヘッダー１２と各水栓１３とを接続している湯通水管１６に接続された各分岐管１７の装着口１７ｃに、必要に応じて着脱自在に接続することができるものであり、ホース１９の他端は、室内Ａに据え置かれたコンプレッサー２０に接続している。ホース１９とコンプレッサー２０との間には、コンプレッサー２０から供給される圧縮空気中の埃又は異物等を除去するためのフィルター２１を介在させている。コンプレッサー２０には作動の開始及び停止を指示するためのスイッチ２０ａが設けられており、フィルター２１及びホース１９を介して高圧の圧縮空気を各分岐管１７へ供給することで、各供給管７，９，１１，各通水管１４，１６，各ヘッダー８，１２及び各水栓１３内に残っている、凍結の恐れのある低温の水を水抜栓３から排水することのできるものであり、また、コンプレッサー２０はコード５により前記水抜栓３の駆動部材４と接続している。なお、ホースは分岐管の装着口に接続した状態のままにしても、各供給管，各通水管，各ヘッダー及び各水栓内の水が凍結する恐れのある場合のみ接続してもよい。
【００１７】
次に本発明において、各供給管７，９，１１，各通水管１４，１６，各ヘッダー８，１２及び各水栓１３内部の水の温度が低下し、水の凍結を防止する場合の動作について説明する。まず、夜間に外気温が低下して水が凍結する恐れがある場合は、コンプレッサー２０のスイッチ２０ａを手動で操作する。するとコンプレッサー２０が作動し、同時にコード５を介して水抜栓３の駆動部材４に信号が送られ水抜栓３が開弁し、強力な圧縮空気がフィルター２１を通過して、ホース１９により分岐管１７から各通水管１４，１６，各供給管７，９，１１及び各ヘッダー８，１２内に供給される。この時、各水栓１３は水を吐水していない閉弁状態であるため、この圧縮空気は各通水管１４，１６，各水栓１３内部，各供給管７，９，１１及び各ヘッダー８，１２内に残っている水に作用し、内部の水は分岐管１７から水抜栓３に向かい、この水は開弁状態となっている前記水抜栓３の排水口３ａから排水される。
【００１８】
以上のように本発明では、コンプレッサーからの圧縮空気を供給するためのホースは、ヘッダーと水栓との間の分岐管に接続され、水抜栓はヘッダーより下流に装着されている。従って、コンプレッサーからの圧縮空気が供給されると、水は水栓からヘッダーに向かい、供給管，通水管，ヘッダー及び水栓内の水抜きを行なう際に水栓は閉じたままでよく、操作する必要がなく、コンプレッサーのスイッチの操作のみで、水を排水して凍結を未然に防止することができる。
【００１９】
図４は本発明の別の実施例である。この実施例では、前記給水主管１，各供給管７，９，又は各通水管１４，１６の何れかで、本実施例では第１供給管７には、通過する水の温度を測定することのできる温度センサー２２が装着されている。該温度センサー２２はコード２３により制御ボックス２４と連繋している。温度センサー２２の装着位置は特に限定されないが、室内Ａで温度が最も低くなり、かつ故障等により点検又は交換をする必要が生じた場合に作業しやすい位置に装着するのが望ましく、第１供給管７を通過する水の温度を測定し、その測定値はコード２３介して前記制御ボックス２４に出力される。
【００２０】
前記制御ボックス２４は、温度センサー２２が装着された第１供給管７内を通過する水が凍結しそうな温度を予め設定し、温度センサー２２から入力される測定温度と比較し、測定温度が設定温度以下の場合は、コード２３ａを介して水抜栓３の駆動部材４に信号を送り、水抜栓３を開弁状態とし、かつコード２３ｂを介してコンプレッサー２０が作動するように信号を送り、測定温度が設定温度を超える場合は、駆動部材４及びコンプレッサー２０の作動を停止するように信号を送るものである。そしてコンプレッサー２０が作動すると、強力な圧縮空気がフィルター２１を通過して、ホース１９により分岐管１７から各通水管１４，１６，各供給管７，９，１１及び各ヘッダー８，１２内に供給され、水を前記水抜栓３から排水できるようにしている。
【００２１】
前記制御ボックス２４は温度センサー２２とコード２３を介して連動し、正面にはコントロールパネル２４ａが装着されており、該コントロールパネル２４ａは、温度センサー２２からの信号に基づき、水の測定温度，水抜栓３の開閉状態及びコンプレッサー２０の作動状況等を確認することができ、さらに水抜栓３及びコンプレッサー２０が作動する温度を設定するための設定スイッチ２４ｂと、手動により水抜栓３及びコンプレッサー２０を作動させるための手動スイッチ２４ｃとを備えたものであり、状況に応じて手動スイッチ２４ｃの操作により、水抜栓３及びコンプレッサー２０の作動が可能である。なお、その他の構成は前記実施例と同一であり、詳細な説明は省略する。
【００２２】
次にこの実施例において、各供給管７，９，１１，各通水管１４，１６，各ヘッダー８，１２及び各水栓１３内部の水の温度が低下し、水の凍結を防止する場合の動作について説明する。まず、温度センサー２２が測定した温度は、コード２３により制御ボックス２４に常時出力されており、測定温度が制御ボックス２４で予め設定された温度よりも低くなると、コード２３ａを介して水抜栓３を開弁するように駆動部材４に対し信号が送られ、かつコンプレッサー２０が作動するように信号が送られる。
【００２３】
コンプレッサー２０が作動すると、フィルター２１を介してホース１９により強力な圧縮空気が分岐管１７から各通水管１４，１６，各供給管７，９，１１及び各ヘッダー８，１２内に供給される。この場合、各水栓１３は水を吐水していない閉弁状態であるため、この圧縮空気は各通水管１４，１６，各供給管７，９，１１及び各ヘッダー８，１２内に残っている水に作用し、水は分岐管１７から水抜栓３に向かい、開弁状態となっている前記水抜栓３から排水される。なお、制御ボックス２４のコントロールパネル２４ａには手動スイッチ２４ｃが設けられているため、水の温度が設定温度よりも高くても手動スイッチ２４ｃを操作することで、水抜栓３の開弁とコンプレッサー２０の作動とを手動で行なうこともできる。
【００２４】
本実施例では、管内の水の温度が予め制御ボックスで設定した温度よりも低温になると、水抜栓及びコンプレッサーが自動的に作動し、水抜きを行なうことができるので、気温が低下した場合に水抜きの操作を忘れたり、不在時に水抜きを行なうことができずに水が凍結してしまうということがなく、信頼性の向上を図ることができるものである。
【００２５】
【発明の効果】
本発明によると請求項１では、水抜きを行なうにはコンプレッサーを作動させるだけでよく、水は通水管から水抜栓に向けて流れ、離れた位置に設けられている各水栓を開弁位置に操作する必要がなく、操作性を大幅に向上させることができる。
【００２６】
請求項２では、コンプレッサーの圧縮空気を供給するためのホースは、通水管に装着された分岐管に着脱自在に接続されるので、必要に応じてホースを接続することができ、使い勝手がよい。
【００２７】
請求項３では、水抜栓はコードによりコンプレッサーと接続し、コンプレッサーと連動して開弁するので、コンプレッサーを作動させれば水抜栓も作動し、水抜栓の開弁操作を忘れることがなく、信頼性を向上させることができる。
【００２８】
請求項４及び５では、ヘッダー配管内の水の温度が低下すると、温度センサーにより自動的にコンプレッサー及び水抜栓が作動するようにしたので、不在時であっても水抜きを行なうことができる。
【００２９】
請求項６では、制御ボックスはコントロールパネルを設けたので、ヘッダー配管の作動状況を確認することができる。
【図面の簡単な説明】
【図１】本発明のヘッダー配管の説明図である。
【図２】図１における室内の見取り図である。
【図３】分岐管の拡大説明図である。
【図４】別の実施例の説明図である。
【図５】従来技術の説明図である。
【符号の説明】
１　　　　　　　　　　　給水主管
３　　　　　　　　　　　水抜栓
７　　　　　　　　　　　第１供給管
８　　　　　　　　　　　水用ヘッダー
９　　　　　　　　　　　第２供給管
１１　　　　　　　　　　第３供給管
１２　　　　　　　　　　湯用ヘッダー
１３　　　　　　　　　　水栓
１４　　　　　　　　　　水通水管
１６　　　　　　　　　　湯通水管
１７　　　　　　　　　　分岐管
１９　　　　　　　　　　ホース
２０　　　　　　　　　　コンプレッサー
２２　　　　　　　　　　温度センサー
２３，２３ａ，２３ｂ　　コード
２４　　　　　　　　　　制御ボックス
２４ａ　　　　　　　　　コントロールパネル
【図１】
2004143701.tif 000003
【図２】
2004143701.tif 000004
【図３】
2004143701.tif 000005
【図４】
2004143701.tif 000006
【図５】
2004143701.tif 000007